(57)【特許請求の範囲】
【請求項１】
導光板と、
該導光板の側面に配置され、両端部にそれぞれ封装された一対の放電電極を有する冷陰極放電ランプと、
前記放電電極に接続され、該放電電極に放電用電力を供給するリード線と、
前記放電電極と前記リード線との接続部を被覆して絶縁するホルダーと、
を有し、
前記導光板並びに前記冷陰極放電ランプ及び前記ホルダーを保持する保持手段を備えた面状照明装置において、
前記保持手段に相対して前記導光板並びに前記冷陰極放電ランプ及び前記ホルダーを保持する絶縁体のフレームを備え、
前記ホルダーより延びて前記リード線と前記保持手段との間を絶縁する突起を設け、
前記ホルダーより延びる突起と前記フレームより延びて前記リード線に隣接する突起との間で、前記リード線を固定することを特徴とする面状照明装置。
【請求項２】
前記ホルダーは弾性体より成ることを特徴とする請求項１に記載の面状照明装置。
【請求項３】
請求項１または請求項２に記載の面状照明装置における前記導光板の表面側に、液晶表示パネルを配置したことを特徴とする液晶表示装置。
【発明の詳細な説明】
【０００１】
【発明の属する技術分野】
本発明は、面状照明装置に関するものであり、更に詳しくは、液晶表示装置等のディスプレイのバックライト用等に使用される、面状照明装置の構造に関するものである。
【０００２】
【従来の技術】
このような面状照明装置が用いられた従来の液晶表示装置の構造について説明する。図５は、従来の液晶表示装置の組立構造を示す分解斜視図である。同図に示すように、従来の液晶表示装置において、導光板９の側面には、例えば略コの字状をした冷陰極放電ランプ７が配置されている。冷陰極放電ランプ７は、その両端部にそれぞれ封装された一対の放電電極を有している。そして、この放電電極には、これに放電用電力を供給するリード線１２がそれぞれ装着されている。また、放電電極とリード線との接続部は、絶縁のため周囲がホルダー１３でそれぞれ覆われている。
【０００３】
また、冷陰極放電ランプ７及び導光板９を下面及び側面より覆うようにして、光を特定の方向に反射する反射シート１１が設けられており、更にその外側には、冷陰極放電ランプ７から発生する熱を均等に拡散，放熱するバックライトケース１０が設けられている。このバックライトケース１０は、冷陰極放電ランプ７，導光板９，反射シート１１，及びホルダー１３を保持する役目も果たしている。そして、導光板９の上面には、光学シートとして、拡散板１，プリズムレンズシート２，拡散板３が重畳されている。
【０００４】
以上の構成のものが、上側よりフレーム５にて覆われ、保持されている。さらに、フレーム５の上側には液晶表示パネル４が配置され、これの保護及び電気的なシールドを目的としたシールドケース６によって覆われている。また、液晶表示パネル４の側部より、液晶表示パネル駆動信号伝達用のＦＰＣ（フレキシブル基板）８が延びている。
【０００５】
このような液晶表示装置に使用する冷陰極放電ランプ７は、液晶表示装置の仕様により、輝度，使用数量等が決定される。また、フレーム５，冷陰極放電ランプ７，導光板９，バックライトケース１０，リード線１２，及びリード線引き回し経路の位置関係が、液晶表示装置の外形形状を決定づけている。
【０００６】
【発明が解決しようとする課題】
しかしながら、液晶表示装置の内部或いは外部に設けられたリード線引き回し経路には、金属部品との干渉やリード線の浮き上がりを防止するために、リード線固定部や保護部を設ける必要がある。ここで図６は、上記従来の液晶表示装置の下面図である。また図７は断面図であり、同図（ａ）は図６のａ−ａ断面、同図（ｂ）はｂ−ｂ断面を示している。各図により示すように、リード線引き回し経路には、断面視略Ｌ字状のリード線固定部１０ａや、略平板状の保護部１０ｂが設けられている。これらリード線固定部１０ａ及び保護部１０ｂは、安全対策の面から絶縁物（例えば樹脂材料）で構成する必要がある。
【０００７】
ところが、金属材料より成るバックライトケース１０に、絶縁物である樹脂部品を設けるには、配置可能場所に金型構造に起因する制約がある。或いは、樹脂材料より成るフレーム５にその一部分としてリード線固定部及び保護部を設けるためには、樹脂強度を確保するため、或る程度の大きさが必要である。このため、リード線径以上の空間、例えば線径＋１．６ｍｍ以上の空間が余分に必要となり、液晶表示装置の大型化の要因となっていた。
【０００８】
本発明は、以上のような問題点に鑑み、構造を簡略化して省スペース化を図った面状照明装置、及びこれを用いたより小形，軽量で信頼性の高い液晶表示装置を提供することを目的とする。
【０００９】
【課題を解決するための手段】
上記目的を達成するために、本発明は、導光板と、その導光板の側面に配置され、両端部にそれぞれ封装された一対の放電電極を有する冷陰極放電ランプと、前記放電電極に接続され、その放電電極に放電用電力を供給するリード線と、前記放電電極と前記リード線との接続部を被覆して絶縁するホルダーを有し、前記導光板並びに前記冷陰極放電ランプ及び前記ホルダーを保持する保持手段を備えた面状照明装置において、前記保持手段に相対して前記導光板並びに前記冷陰極放電ランプ及び前記ホルダーを保持する絶縁体のフレームを備え、前記ホルダーより延びて前記リード線と前記保持手段との間を絶縁する突起を設け、前記ホルダーより延びる突起と前記フレームより延びて前記リード線に隣接する突起との間で、前記リード線を固定することを特徴とする。
【００１０】
また本発明は、上記構成の面状照明装置において、前記ホルダーは弾性体より成ることを特徴とする。
【００１１】
そして、前記面状照明装置における前記導光板の表面側に、液晶表示パネルを配置した液晶表示装置とする。
【００１２】
【発明の実施の形態】
以下、本発明の実施の形態について、図面を参照しながら説明する。図１は、本発明の面状照明装置を用いた液晶表示装置の組立構造を示す分解斜視図である。ここでは９．５型の液晶表示装置の場合を示している。また図２は、図１のＡ部拡大図であり、ホルダー及びその周辺の様子を示している。
【００１３】
各図において、導光板９の側面（若しくは裏面）には、冷陰極放電ランプ７（ここでは不図示）が配置されている。冷陰極放電ランプ７は、その両端部にそれぞれ封装された一対の放電電極を有している。そして、この放電電極には、これに放電用電力を供給するリード線１２がそれぞれ接続されている。また、放電電極とリード線１２との接続部は、絶縁のためホルダー１３でそれぞれ被覆されている。
【００１４】
また、冷陰極放電ランプ７及び導光板９を下面及び側面より覆うようにして、光を特定の方向に反射する反射シート１１（ここでは不図示）が設けられており、更にその外側には、冷陰極放電ランプ７から発生する熱を均等に拡散，放熱するバックライトケース１０が設けられている。このバックライトケース１０は、冷陰極放電ランプ７，導光板９，反射シート１１，及びホルダー１３を保持する役目も果たしている。そして、導光板９の上面には、光学シートとして、拡散板１，プリズムレンズシート２，拡散板３が重畳されている。
【００１５】
以上の構成のものが、上側より絶縁体のフレーム５にて覆われている。さらに、フレーム５の上側（表面側）には液晶表示パネル４が配置され、これの保護及び電気的なシールドを目的としたシールドケース６によって覆われている。また、液晶表示パネル４の側部より、液晶表示パネル駆動信号伝達用のＦＰＣ（フレキシブル基板）８が延びている。なお、ホルダー１３から出た直後のリード線１２は、バックライトケース１０のリード線固定部１０ａに固定されている。
【００１６】
図３は、ホルダーの構造を示す図である。同図（ａ）は正面図、同図（ｂ）は左側面図、同図（ｃ）は右側面図、同図（ｄ）は平面図、同図（ｅ）は下面図をそれぞれ示している。但し、同図の正面は、図１或いは図２においては平面となっている。上記ホルダー１３は、例えば合成ゴムなどの弾性体を素材として構成されたものであり、図３に示したような構造を採っている。即ち、正面視逆Ｌ字形を成し、右側面には冷陰極放電ランプ７の端部を挿入，支持する２つの孔１４が開けられている。また、下面にはリード線１２が導出する孔１５が開けられており、平面端部（図１或いは図２においては側面下端）より突起１３ａが延びている。
【００１７】
図４は、本液晶表示装置をランプ側から見た断面図である。同図に示すように、ホルダー１３に上述した突起１３ａを設けることによって、その内側にリード線１２が配置されることとなり、リード線直径が占める空間のみでリード線１２の配置，保護が可能となる。また、フレーム５周縁部より下方に延びる突起５ａ（ハッチングで示す）を設け、これをリード線１２を挟んで突起１３ａと相対する位置に配置し、更にホルダー１３と嵌合するバックライトケース１０にて側面より取り囲むことにより、リード線１２の位置固定が可能となる。
【００１８】
さらに、本実施形態のように冷陰極放電ランプ７が２本縦置きにて配置される場合、特に下側の冷陰極放電ランプ７は導光板９より一段下げて配置されるので、バックライトケース１０に樹脂材料より成るリード線固定部１０ａ及び保護部１０ｂを設けることは困難であり、本実施形態を採ることにより、金型費や製造コストの低減を図ることができる。
【００１９】
ここで、本実施形態で用いた各部品のサイズ及び材質を以下にまとめておく。
0004063535.tif 000002
【００２０】
なお、本発明はあらゆるサイズの液晶パネルに適用可能であり、本実施形態で示したような９．５型の液晶表示装置に限定されるものではない。また、本発明の面状照明装置は、フロントライトとしても適用可能である。
【００２１】
また、特許請求の範囲で言う保持手段は、実施形態におけるバックライトケースに対応している。
【００２２】
【発明の効果】
以上説明したように、本発明によれば、構造を簡略化して省スペース化を図った面状照明装置、及びこれを用いたより小形，軽量で信頼性の高い液晶表示装置を提供することができる。
【００２３】
具体的には、本発明では、冷陰極放電ランプを支持するホルダーが、冷陰極放電ランプの放電電極と給電用リード線接続部の絶縁を行うだけでなく、給電用リード線とバックライトケースとの間の絶縁も行う構成を採っている。つまり、リード線引き回し経路をそのリード線を取り巻く部材の材質によらず配置することが可能となる。
【００２４】
即ち、フレームやバックライトケース上にリード線保護部を設けるなどの手間が省け、且つその分、構成の簡略化が図れるとともに、給電用リード線径の空間でリード線の保護，固定機能が達成されるため、液晶表示装置の省スペース化も併せて図ることができる。従って、より小形，軽量で信頼性の高い液晶表示装置の提供に大きく寄与する。
【図面の簡単な説明】
【図１】本発明の液晶表示装置の組立構造を示す分解斜視図。
【図２】図１のＡ部拡大図。
【図３】ホルダーの構造を示す図。
【図４】本発明の液晶表示装置をランプ側から見た断面図。
【図５】従来の液晶表示装置の組立構造を示す分解斜視図。
【図６】従来の液晶表示装置の下面図。
【図７】図６の所定部分の断面図。
【符号の説明】
１，３    拡散板
２    プリズムレンズシート
４    液晶表示パネル
５    フレーム
６    シールドケース
７    冷陰極放電ランプ
８    ＦＰＣ
９    導光板
１０    バックライトケース
１１    反射シート
１２    リード線
１３    ホルダー
【図１】
0004063535.tif 000003
【図２】
0004063535.tif 000004
【図３】
0004063535.tif 000005
【図４】
0004063535.tif 000006
【図５】
0004063535.tif 000007
【図６】
0004063535.tif 000008
【図７】
0004063535.tif 000009